(57)【要約】      （修正有）【課題】バッフルを備えた加熱炉のバッフル及び吊棒が高温の加熱雰囲気に曝されて熱変形しても、バッフルを支持する吊棒の破断などを防止できるバッフルの上部吊棒の固定方法及び固定構造を提供する。【解決手段】バッフル１の上部吊棒１１の固定構造を、バッフルの上部吊棒のための貫通孔２１を有する加熱炉の天井９と、前記貫通孔と同軸にかつ加熱炉の天井上面側に気密に設置された軸受装置２２と、前記上部吊棒の上端近傍に取付けられた係止部材３１と、前記係止部材と前記軸受装置の上面との間に介装された弾性部材３５とからなり、前記上部吊棒を天井に対して上下方向に弾性移動可能に取付けてなるものとする。【選択図】図１
2008180424.tif 000002
【特許請求の範囲】
【請求項１】
加熱炉の天井を貫通させてバッフルの上部吊棒を天井板の上部に突出させ、該上部吊棒を、前記天井の上面に天井上面との間を気密にシールして設置された軸受装置によって支承するとともに、上記上部吊棒の上端部近傍に係止部材を取付け、上記上部吊棒を上記係止部材と天井板との間に配設された弾性部材を介して天井に対して取付けるか又は上記吊棒を上記係止部材と軸受装置の上面との間に配設された弾性部材を介して軸受装置に対して取付けることを特徴とするバッフルの上部吊棒の固定方法。
【請求項２】
バッフルの上部吊棒のための貫通孔を有する加熱炉の天井と、前記貫通孔と同軸にかつ加熱炉の天井上面側に気密に設置された軸受装置と、前記上部吊棒の上端近傍に取付けられた係止部材と、前記係止部材と前記軸受装置の上面との間に介装された弾性部材とからなり、
前記上部吊棒を天井に対して上下方向に弾性移動可能に取付けてなることを特徴とするバッフルの上部吊棒の固定構造。
【請求項３】
請求項２に記載の上部吊棒の固定構造を備えてなることを特徴とするバッフルの吊り具。
【発明の詳細な説明】
【技術分野】
【０００１】
本発明は、熱処理炉に利用するバッフルの上部吊棒の固定方法及び固定構造、特にその天井側への固定方法、固定構造及びその固定構造を利用したバッフルの吊り具に関する。
【背景技術】
【０００２】
鋼管等の熱処理のためには、例えば、図３に示す構造をもつバッフル1を備えた連続加熱炉が用いられることが多い。この形式の加熱炉では炉の入側から鋼管Ｓを装入し、搬送装置2によって炉内を移動させながら加熱し、抽出装置3によって炉外に抽出するようになっている。この装置では鋼管等が炉内を移動する間に被加熱部材（鋼管Ｓ）が均一かつ熱効率よく加熱されることが重要である。この目的を達成するため、加熱炉の天井7からバッフル1を吊下げ、直火式バーナー4の燃焼熱をバッフル1の上部に備えた循環ファン5から吹出させるようにしている。
【０００３】
このバッフル1は、図４に示すように、加熱炉の天井7の天井板9に溶接などによって固定して吊下げられた吊棒8によって吊下げられて固定されており、吊棒8は上部吊棒11と下部吊棒12とを回動継手10によって結合して構成されており、関節機構13と長さ調整機構14によって吊棒8への付加の均等、バッフル1のゆがみ等への対応が図られている。
【０００４】
しかし、加熱炉の操業に伴い、上記バッフル1及び吊棒8が高温の加熱雰囲気に曝されることは当然であり、そのため、建設当初においては吊棒8への付加の均等、バッフル1のゆがみ等への対応が図られていても、長期に亘る使用の結果、バッフル本体や吊棒8の熱変形により吊棒8が破断する、あるいは吊棒8の支持部が破損するなどが原因となってバッフル1が落下するなどの事故が生ずることがあった。また、上記図４に示す上部吊棒11の固定構造では、上部吊棒11の天井板9への溶接部6が炉雰囲気中の硫酸分の結露等により腐食して吊棒脱落の原因になることもあった。
【０００５】
特許文献１には、バッフルを備えた熱処理炉、特にバッフルから炉幅方向に所定の流量の循環雰囲気を噴き出すことを可能にする熱処理炉が示されている。
【特許文献１】特開平１１−２４８３６１号公報
【発明の開示】
【発明が解決しようとする課題】
【０００６】
しかしながら、特許文献１に記載の発明は、バッフルの構造に関して、特にバッフル内に多孔板を設置するとの記載があるのみであって、上記バッフルを支える吊棒の変形や脱落に関して触れるところがない。本発明は、上記背景に照らし、バッフルを備えた加熱炉のバッフル及び吊棒が高温の加熱雰囲気に曝されて熱変形しても、バッフルを支持する吊棒の耐久性を高めることができるバッフルの上部吊棒の固定方法及び固定構造を提供することを目的とする。
【課題を解決するための手段】
【０００７】
本発明に係るバッフルの上部吊棒の固定方法は、加熱炉の天井を貫通させてバッフルの上部吊棒を天井板の上部に突出させ、該上部吊棒を前記天井の上面に天井上面との間を気密にシールして設置された軸受装置によって支承するとともに、上記上部吊棒の上端部近傍に係止部材取付け、上記上部吊棒を上記係止部材と天井板との間に配設された弾性部材を介して天井に対して取付けるか又は上記吊棒を上記係止部材と軸受装置の上面との間に配設された弾性部材を介して軸受装置に対して取付けることからなる。
【０００８】
上記発明は、バッフルの上部吊棒のための貫通孔を有する加熱炉の天井と、前記貫通孔と同軸にかつ加熱炉の天井上面側に気密に設置された軸受装置と、前記上部吊棒の上端近傍に取付けられた係止部材と、前記係止部材と前記軸受装置の上面との間に介装された弾性部材とからなり、前記上部吊棒を天井に対して上下方向に弾性移動可能に取付けてなるバッフルの上部吊棒の固定構造を利用することによって達成できる。
【０００９】
上記バッフルの上部吊棒の固定構造を利用してバッフルの吊り具とすることができる。
【発明の効果】
【００１０】
本発明により、バッフルを備えた加熱炉において、バッフル及び吊棒が高温の加熱雰囲気に曝されて熱変形するバッフルを支持する吊棒の耐久性を向上するができ、それにより炉寿命を約２０〜３０％向上させることが期待できる。また、本発明に係るバッフル上部吊棒の固定構造はその天井板への取付けに当たり溶接作業を伴わないものであるのでその保守・点検、交換が容易でありメンテナンス費用を削減できるという効果がある。
【発明を実施するための最良の形態】
【００１１】
図１は、本発明の適用される連続加熱炉の内部構造を示す模式図であり、図上部に本発明に係るバッフルの上部吊棒の固定構造が示されている。
【００１２】
図１に示すように、本発明に係るバッフルの上部吊棒の固定構造にあっては、加熱炉の天井7及び天井板9に貫通孔21が明けられており、該貫通孔21を上部吊棒11が上下動できるようになっている。
【００１３】
天井板9には、上記貫通孔21と同軸に軸受装置22が取付けられている。この軸受装置は内部に軸受部23を内蔵し、これを軸受箱24に固定して納めたものであって、上部吊棒11がその内部を円滑に上下動できるようになっている。この軸受箱24の下面側は、例えば溶接によって天井板9に取付けられる。また、軸受部23の下部には上部吊棒11と軸受箱24の間を気密にシールするシール部材25が設置されている。また、軸受部23の上部には軸受押え金具26を配置してこれを軸受箱24に、例えばビス止めによって固定している。この構成により、上部吊棒11は、加熱の内部からガスタイトの状態を保ちながら、その上部を加熱炉の上部外方に突出すことができる。
【００１４】
このようにして加熱炉の上部外方に突出された上部吊棒11の頂部近傍には係止部材31が取付けられる。この取付けに当たっては、前記軸受箱24の上面と係止部材31の下面との間に弾性部材35、例えばコイルばねを介装する。係止部材31としては、例えばナット32を用い、これを上部吊棒11の先端部分に螺着することによってその目的を達成することができる。このナット32に加えてさらにゆるみ止めナット33を羅着することもできる。
【００１５】
上記固定構造によって天井に固定された上部吊棒11には、従来例と同様にして、回動継手10を介して下部吊棒12が取付けられ、さらにこの下部吊棒12にバッフル1が取付けられる。下部吊棒にバッフル1を取付けるにあたり関節機構13を利用すること、また、バッフルの形状のひずみなどに応じて長さ調節機構14を利用してバランスよくバッフル1を取付けることは従来例のとおりである。
【００１６】
本発明では、上記の上部吊棒の固定構造を利用して吊棒8にバッフル1を取付けるので、加熱炉の操業に伴いバッフル1が歪み、あるいは吊棒8が局部的に伸縮してひずみを生じても、かかる歪みは上記固定構造に内蔵されている弾性部材(ばね)35により吸収されることになる。これにより、長期間に亘って吊棒8に掛かる負荷を均等に保つことができるようになり、吊棒8の耐久性を高めること、ひいては、加熱炉の保守・点検ピッチを長くすることができる。
【００１７】
また、本発明に係る上部吊棒の固定構造においては、吊棒8が天井7、天井板9を貫通する貫通孔21内を上下動できるように取付けられているので、上部吊棒11の係止不要になるなど、保守・点検の時間を大きく節減することができることになる。
【００１８】
なお、上記に本発明の基本的な実施形態を説明したが、本発明の技術的思想を逸脱しない限り、種々の形態に変形することができる。例えば、図２に示すように、係止部材31（ナット32）の直径を拡大し、その周縁近傍と天井板9の間に弾性部材（ばね）35を介装させるようにすることができる。
【図面の簡単な説明】
【００１９】
【図１】本発明に係るバッフルの上部吊棒の固定構造を有する連続加熱炉の内部構造を示す模式図である。
【図２】上部吊棒の別の固定構造を有する連続加熱炉の内部構造を示す模式図である。
【図３】本発明の適用される連続加熱炉の内部構造を示す模式図である。(a)は正面図であり、(b)はそのＡ−Ａ矢視図である。
【図４】図３のＢ−Ｂ矢視断面図である。
【符号の説明】
【００２０】
1：バッフル
2：搬送装置
3：抽出装置
4：直火式バーナー
5：循環ファン
6：溶接部
7：天井
8：吊棒
9：天井板
10：回動継手
11：上部吊棒
12：下部吊棒
13：関節機構
14：長さ調節機構
21：貫通孔
22：軸受装置
23：軸受部
24：軸受箱
25：シール部材
26：軸受押え
31：係止部材
32：ナット
33：ゆるみ止めナット
35：弾性部材
【図１】
2008180424.tif 000003
【図２】
2008180424.tif 000004
【図３】
2008180424.tif 000005
【図４】
2008180424.tif 000006